(57)【要約】      （修正有）【課題】ヘッド本体の押し下げ及び復帰に応じてピン部材の開閉動作を生起させる機構に影響を与えることなく、シール性能の向上が図られた新規な開閉式噴出ヘッドを提供する。【解決手段】本体３の内側に注出筒４を横向きに配置すると共に、この注出筒4の内側にその先端開口４ｅを開閉するピン６を摺動可能に配置し、このピン６の開閉動作を本体３の押し下げ及び復帰に応じて生起させる梃子部材８をジョイントとヘッド本体との間に介在させたものであって、本体３は、ノズル４を配置する空間３ｅと梃子機構８を配置する空間３ｆとを仕切る隔壁３ｃを有し、この隔壁３ｃから、ノズル４の内周面４ｆを密閉保持する周壁９を延在させ、この周壁９と共に、ノズル４を配置する空間３ｅを形作る内周面５で、ノズル４の内周面４ｆ及び外周面４ｇを密閉保持してなる。【選択図】図１
2010104922.tif 000002
【特許請求の範囲】
【請求項１】
容器の内側に配置したポンプに連結されるジョイントと、このジョイントに対して上下動可能に連結され、その押し下げ及び復帰によりポンプを駆動させるヘッド本体とを有し、このヘッド本体の内側に注出筒を横向きに配置すると共に、この注出筒の内側に当該注出筒の先端開口を開閉するピン部材を摺動可能に配置し、このピン部材の開閉動作をヘッド本体の押し下げ及び復帰に応じて生起させる機構をジョイントとヘッド本体との間に介在させた開閉式噴出ヘッドであって、
ヘッド本体は、注出筒を配置する空間と前記機構を配置する空間とを仕切る隔壁を有し、
この隔壁から、注出筒の内周面を密閉保持する周壁を延在させ、
この周壁と共に、注出筒を配置する空間を形作る内周面で、
注出筒の内周面及び外周面を密閉保持してなることを特徴とする開閉式噴出ヘッド。
【請求項２】
請求項１において、ピン部材の摺動部位とヘッド本体の隔壁との間に、ピン本体を初期位置に復帰させるための弾性部材を介在させたことを特徴とする開閉式噴出ヘッド。
【発明の詳細な説明】
【技術分野】
【０００１】
本発明は、容器の内側に配置したポンプを駆動させる操作片として機能すると共に、そのポンプ動作に伴う内容物の注出を可能とし、併せて、注出後における内容物の垂れや詰まりを生じにくい開閉式噴出ヘッドに関するものである。
【背景技術】
【０００２】
噴出ヘッドには、液切れの悪さや内容物の固化を防止することを目的として、ポンプにジョイントを連結すると共に、このジョイントに対してヘッド本体を上下動可能に連結する一方、このヘッド本体の内側に注出筒を配置すると共に、この注出筒の内側に先端開口を開閉するピン部材を摺動可能に配置し、このピン部材の開閉動作をヘッド本体の押し下げ及び復帰に応じて生起させる梃子機構をジョイントとヘッド本体との間に介在させた開閉式の噴出ヘッド（以下、「開閉式噴出ヘッド」という）が存在する（例えば、特許文献１参照。）
【特許文献１】特開２００８−６４１０号公報
【発明の開示】
【発明が解決しようとする課題】
【０００３】
しかしながら、従来の開閉式噴出ヘッドは、ヘッド本体の内側に注出筒を配置するとき、注出筒を形作る内周面で当該注出筒の外周面を密閉保持しているのみだが、この注出筒の外周面を保持する内周面はヘッド本体と共に比較的に肉厚の部位で形作られるため、当該部位を成形後にヒケが生じると、内容物に対するシール性能（密閉性能）の低下を免れ得ない。
【０００４】
また、こうした開閉式噴出ヘッドでは、ヘッド本体とジョイントとの間に梃子機構等を介在させ、こうした機構でピン部材の動作を制御している。このため、内部構造が複雑であることから、かかる機構の動作に影響を与えることなく、シール性能を向上させることが望ましい。
【０００５】
本発明の目的とするところは、ヘッド本体の押し下げ及び復帰に応じてピン部材の開閉動作を生起させる機構がジョイントとヘッド本体との間に介在しても当該機構に影響を与えることなく、シール性能の向上が図られた新規な開閉式噴出ヘッドを提供することにある。
【課題を解決するための手段】
【０００６】
本発明は、容器の内側に配置したポンプに連結されるジョイントと、このジョイントに対して上下動可能に連結され、その押し下げ及び復帰によりポンプを駆動させるヘッド本体とを有し、このヘッド本体の内側に注出筒を横向きに配置すると共に、この注出筒の内側に当該注出筒の先端開口を開閉するピン部材を摺動可能に配置し、このピン部材の開閉動作をヘッド本体の押し下げ及び復帰に応じて生起させる機構をジョイントとヘッド本体との間に介在させた開閉式噴出ヘッドであって、
ヘッド本体は、注出筒を配置する空間と前記機構を配置する空間とを仕切る隔壁を有し、
この隔壁から、注出筒の内周面を密閉保持する周壁を延在させ、
この周壁と共に、注出筒を配置する空間を形作る内周面で、
注出筒の内周面及び外周面を密閉保持してなることを特徴とするものである。
【０００７】
本発明によれば、ピン部材の摺動部位とヘッド本体の隔壁との間に、ピン本体を初期位置に復帰させるための弾性部材を介在させることができる。
【発明の効果】
【０００８】
本発明は、ヘッド本体に注出筒を配置したとき、この注出筒を配置する空間とヘッド本体の押し下げ及び復帰に応じてピン部材の開閉動作を生起させる機構を配置する空間とを仕切る隔壁から、注出筒の内周面を密閉保持する周壁を延在させることで、注出筒の内周面を密閉保持してなるから、梃子機構等の機構を用いることでヘッド本体の押し下げ及び復帰に応じてピン部材の開閉動作を生起させても、当該機構の動作には何ら影響を与えない。
【０００９】
しかも、かかる構成によれば、上記周壁と共に、注出筒を配置する空間を形作る内周面で、注出筒の内周面及び外周面を密閉保持してなるため、注出筒の内周面又は外周面のみをシールしたときに比べて、注出筒とヘッド本体との間のシール性能が向上する。
【００１０】
従って、本発明によれば、ヘッド本体の押し下げ及び復帰に応じてピン部材の開閉動作を生起させる機構に影響を与えることなく、シール性能の向上が図られた新規な開閉式噴出ヘッドを提供することができる。
【００１１】
特に、本発明によれば、ピン部材の摺動部位とヘッド本体の隔壁との間は、シール性能の高い密閉空間となるため、この密閉空間内に、ピン本体を初期位置に復帰させるための弾性部材を介在させれば、弾性部材が内容物に触れることなく、弾性部材の耐久性能が高まるため、シール性能の向上の利点を有効に活用することができる。
【発明を実施するための最良の形態】
【００１２】
以下、図面を参照して本発明を詳細に説明する。
【００１３】
図１は、本発明の第一の形態である開閉式噴出ヘッド１の初期状態を側面から示す縦断面図である。また、図２及び図３はそれぞれ、図１のＸ−Ｘ断面図及び図２のＹ−Ｙ断面図である。
【００１４】
図１にて、符号２は、容器２０の内側に配置したポンプＰに連結されるジョイントである。ジョイント２は、ステムＳを介してポンプＰに通じる通路が形成され、軸線ＯYに沿って起立する上筒部２ａを有する。ポンプＰは、容器２０の内側に配置される既存のプランジャポンプであり、ステムＳの押し下げ及び復帰の繰り返しにより、容器２０の内容物を圧送する。なお、ポンプＰは、容器２０の口部２１にリングキャップ３０を介して固定されている。
【００１５】
符号３は、ジョイント２の上筒部２ａに連結され、その押し下げ及び復帰によりポンプＰを駆動させるヘッド本体である。ヘッド本体３は、その外観形状が、使用者が押し下げの際に使用する天壁３ａと、この天壁３ａの外縁から垂下する外周部３ｂとで形作られている。
【００１６】
また、ヘッド本体３は、その内側に、天壁３ａから垂下する隔壁３ｃと、この隔壁３ｃから前方に向かって延在し外周部３ｂに繋がる隔壁３ｄとを有し、これら隔壁３ｃ，３ｄで取り囲まれた領域内に、ヘッド本体３の前方に開口する筒状の凹部をなす流路空間３ｅが形成されている。
【００１７】
また、隔壁３ｃは、ヘッド本体３の外周部３ｂとの間に、後述の梃子機構８の配置空間たる副室３ｆを形成する。副室３ｆは、隔壁３ｃに形成された貫通孔３ｇを通して流路空間３ｅに通じる。
【００１８】
また、ヘッド本体３は、隔壁３ｄから垂下する下筒部３ｈを有し、この下筒部３ｈの内側には、流路空間３ｅに通じる通路が形成されている。また、下筒部３ｈの内側には、ジョイント２の上筒部２ａを摺動可能に嵌合させることができる。これにより、ヘッド本体３は、その下筒部３ｈとジョイント２の上筒部２ａとの間の密閉状態を維持しつつ、ジョイント２の上筒部２ａに対して軸線ＯYに沿って上下方向に摺動させることができる。
【００１９】
符号４は、流路空間３ｅ内に横向きに配置されるノズル（注出筒）である。ノズル４は、周壁４ａを有し、その内側に貫通孔としてなる注出路４ｂを形作る。
【００２０】
符号５は、ヘッド本体３の流路空間３ｅを形作る内周面である。この内周面５には、その前側に、ヘッド本体３の軸線ＯX周りに沿って形成される環状の凹部５ａが設けられている。この凹部５ａは、ノズル４の外周面４ｇに形成された環状突起４ｈと嵌合し、ヘッド本体３にノズル４を抜け止め保持すると共に、全周に亘って密着させることで、当該外周面４ｇを密閉保持している。なお、ノズル４に形成される環状突起４ｈは、必ずしも連続して形成する必要はなく、断続的に形成される突起又はリブに置き換えることも可能であり、さらにはヘッド本体３とノズル４とに形成される上述した凹凸関係を逆転して配置することも可能である。
【００２１】
ノズル４の外周面４ｇは、その後端側に、軸線ＯX周りに沿って突出する環状の隆起部４ｃを形成し、この隆起部４ｃを、ヘッド本体３の内周面５に全周に亘って密着させることで当該外周面４ｇの後端側を密閉保持されている。これにより、ヘッド本体３とノズル４との間に形成される内容物の通路は、実質、仕切られた流路空間３ｅとなる。
【００２２】
更に、ノズル４の周壁４ａには、その軸線ＯX周りに間隔を空けて複数の開孔４ｄが形成されている。これにより、ノズル４の内側に形成された注出路４ｂは、開孔４ｄを通してヘッド本体３の仕切られた流路空間３ｅに通じる。なお、開孔４ｄは、必ずしも複数形成する必要はなく、少なくとも１つ形成されていればよい。
【００２３】
符号６は、注出路４ｂ内に配置され、ノズル４の先端開口たる注出口４ｅを開閉するノズルピン（ピン部材）である。ノズルピン６は、ノズルピン６と一体に設けられた、摺動部位たる環状のピストン６ａを有し、このピストン６ａを介して注出路４ｂ内に摺動可能に保持されている。
【００２４】
また、ピストン６ａと隔壁３ｃとの間には、スプリング（弾性部材）７が介在する。これにより、ノズルピン６は、スプリング７の付勢力（弾性力）により、図１に示すように、注出口４ｅを閉じた状態を初期位置とする一方、スプリング７の付勢力（弾性力）に抗して移動させることで、注出口４ｅを開放することができる。
【００２５】
符号８は、ヘッド本体３の押し下げ及び復帰に応じてノズルピン４の開閉動作を生起させる梃子機構である。梃子機構８は、図１に示すように、ヘッド本体３の隔壁３ｄ下側に固定保持される基部８ａと、レバー８ｂとを有する。
【００２６】
レバー８ｂは、基部８ａに回転可能に保持される軸部８ｃを有し、ヘッド本体３の内側で揺動させることができる。また、軸部８ｃには、図２等に示すように、ジョイント２に向かって二股に分かれて延在し、ジョイント２に接触する２つの脚部８ｄと、ノズルピン６に向かって延在するアーム８ｅとが一体に形成されている。
【００２７】
アーム８ｅは、ヘッド本体３の副室３ｆ内に配置され、その先端には、貫通孔３ｇを通して突出したノズルピン６の後端６ｂを、自由度をもって嵌合させる切欠８ｆが形成されている。
【００２８】
これにより、ヘッド本体３の押し下げる前の状態にあっては、ノズルピン６は、スプリング７の付勢力によって依然、注出口４ｅを密閉しているが、ヘッド本体３が押し下げられると、レバー８ｂが軸部８ｃを基点に後傾することで、スプリング７の付勢力に抗してノズルピン６を後退させ、注出口４ｅを外界に開放する。
【００２９】
これに対し、ヘッド本体３の押し下げを解除すると、スプリング７の付勢力によってノズルピン６が注出口４ｅに向かって前進するため、レバー８ｂも軸部８ｃを基点に初期位置に復帰するように前傾するため、脚部８ｄを介してヘッド本体３を押し上げる。即ち、ヘッド本体３の押し下げを解除すると、ノズルピン６が初期位置に復帰することで、注出口４ｅを再度密閉すると共に、ヘッド本体３も、ジョイント２に対して初期位置に復帰する。
【００３０】
従って、ジョイント２とヘッド本体３との間に梃子機構７を介在させることによって、ヘッド本体３の押し下げ及び復帰に応じてノズルピン６の開閉動作を生起させることができる。
【００３１】
符号９は、隔壁３ｃから軸線ＯXに沿って注出口４ｅに向かって一体に延在する周壁である。この周壁９は、その外周面９ａがノズル４の内周面４ｆのうち、その後端側に対して全周に亘って密着して当該内周面４ｆの後端側を密閉保持する。これにより、ノズル４の内周面４ｆ及び外周面４ｇは、ヘッド本体３の内周面５及び周壁９の外周面９ａで密閉保持されることになる。
【００３２】
本発明は、ヘッド本体３にノズル４を配置したとき、このノズル４を配置する空間３ｅと梃子機構８を配置する空間３ｆとを仕切る隔壁３ｃから、ノズル４の内周面４ｆを密閉保持する周壁９を延在させることで、ノズル４の内周面４ｆを密閉保持してなるから、梃子機構８を用いることでヘッド本体３の押し下げ及び復帰に応じてノズルピン６の開閉動作を生起させても、梃子機構８の動作には何ら影響を与えない。
【００３３】
しかも、かかる構成によれば、上記周壁９と共に、ノズル４を配置する空間３ｆを形作る内周面５で、ノズル４の内周面４ｆ及び外周面４ｇを密閉保持してなるため、ノズル４の内周面４ｆ又は外周面４ｇのみをシールしたときに比べて、ノズル４とヘッド本体３との間のシール性能が向上する。
【００３４】
従って、本発明によれば、ヘッド本体３の押し下げ及び復帰に応じてノズルピン６の開閉動作を生起させる梃子機構８に影響を与えることなく、シール性能の向上が図られた新規な開閉式噴出ヘッドを提供することができる。
【００３５】
特に、本形態によれば、ノズルピン６のピストン６ａとヘッド本体３の隔壁３ｃとの間は、シール性能の高い密閉空間となるため、同形態の如く、この密閉空間内に、ノズルピン６を初期位置に復帰させるためのスプリング７を介在させれば、スプリング７が内容物に触れることなく、スプリング７の耐久性能が高まるため、シール性能の向上の利点を有効に活用することができる。
【００３６】
図４は、本発明の第二の形態である開閉式噴出ヘッド１の変形例を、その初期状態で側面から示す縦断面図である。なお、以下の説明において、第一の形態と同一部分は、同一符号をもって、その説明を省略する。
【００３７】
本形態では、ノズルピン６の内側に、その後端に開口する凹部６ｃを形成し、この凹部６ｃにスプリング７を配している。これにより、ノズルピン６は、同図に示すように、スプリング７を介してヘッド本体３の後端側内周面３ｂ1に弾支されている。
【００３８】
上述したところは、本発明の好適な形態を示したものであるが、用途に応じて様々に設計変更することができる。例えば、本発明である開閉式噴出ヘッドは、本形態のような手動式ポンプを備えた容器に限らず、エアゾール容器にも適用することができる。加えて、各形態に採用された各構成はそれぞれ、互いに適宜組み合わせることができる。
【産業上の利用可能性】
【００３９】
本発明は、シャンプーやリンス、液体石鹸、化粧料等の内容物を入れる容器は勿論のこと、内容物を入れた様々な容器に適用させることができる。
【図面の簡単な説明】
【００４０】
【図１】本発明の第一の形態である開閉式噴出ヘッドの初期状態を側面から示す縦断面図である。
【図２】図１のＸ−Ｘ断面図である。
【図３】図２のＹ−Ｙ断面図である。
【図４】本発明の第二の形態である開閉式噴出ヘッドの初期状態を側面から示す縦断面図である。
【符号の説明】
【００４１】
１    開閉式噴出ヘッド
２    ジョイント
３    ヘッド本体
４    ノズル（注出筒）
５    ヘッド本体内でノズルを配置する空間を形作る内周面
６    ノズルピン
７    スプリング（弾性部材）
８    梃子機構
８ａ  梃子機構基部
８ｂ  レバー
９    周壁
【図１】
2010104922.tif 000003
【図２】
2010104922.tif 000004
【図３】
2010104922.tif 000005
【図４】
2010104922.tif 000006